(57)【要約】【目的】簡単な作業で水平方向の笠木同士の接続を行える安全性にも優れた笠木接続部材を提供する。【構成】略水平に所定の角度をもって異なる方向に施工される２本の笠木を接続するために用いられる笠木接続部材１０であって、頂面部１１と、頂面部の出隅側端部から垂下形成された平面視曲面状の出隅部１２と、頂面部の入隅側端部から垂下形成された入隅部１３と、頂面部の幅方向略中央において垂下形成され出隅部から入隅部まで実質的に延長する隔壁部１４と、隔壁部の両側に形成された一対の笠木嵌入部１５，１６とを有する。各笠木嵌入部は、留め加工により傾斜した笠木木口面の出隅側角部および入隅側角部をそれぞれ収容するべく該笠木木口面の傾斜角度に応じた傾斜角度を有する出隅側角部収容部１５ａ，１６ａと入隅側角部収容部１５ｄ，１６ｄとを有する。【選択図】    図２
2004300766.tif 000002
【特許請求の範囲】
【請求項１】
略水平に所定の角度をもって異なる方向に施工される２本の笠木を接続するために用いられる笠木接続部材であって、頂面部と、頂面部の出隅側端部から垂下形成された平面視曲面状の出隅部と、頂面部の入隅側端部から垂下形成された入隅部と、頂面部の幅方向略中央において垂下形成され出隅部から入隅部まで実質的に延長している隔壁部と、隔壁部の両側に形成された一対の笠木嵌入部とを有し、各笠木嵌入部は、留め加工により傾斜した笠木木口面の出隅側角部を収容するべく該笠木木口面の傾斜角度に応じた傾斜角度を有して出隅部の内側に形成された出隅側角部収容部と、笠木の傾斜木口面の入隅側角部を収容するべく該笠木木口面の傾斜角度に応じた傾斜角度を有して入隅部の内側に形成された入隅側角部収容部とを有することを特徴とする笠木接続部材。
【請求項２】
略水平に所定の角度をもって異なる方向に施工される２本の笠木を接続するために用いられる笠木接続部材であって、平面視において出隅側に向けて斜行している笠木嵌入部が異なる２方向から形成され、各笠木嵌入部の出隅側および入隅側には、留め加工による笠木木口面の傾斜角度に応じた傾斜角度を有する傾斜面が設けられ、且つ、出隅側端部には平面視曲面状の出隅部が設けられることを特徴とする笠木接続部材。
【発明の詳細な説明】
【０００１】
【発明の属する技術分野】
本発明は、階段壁の上部に施工されて手摺として使用される笠木同士を接続するために用いられる笠木接続部材であって、特に、略水平に所定の角度をもって異なる方向に施工される２本の笠木を接続するために用いられる笠木接続部材に関する。
【０００２】
【従来の技術】
従来より、階段壁の上部には手摺として使用される笠木が施工されており、水平部分において、たとえば約９０度に曲がった手摺壁上に施工される笠木同士の接続に際しては、図８に示すように、接続すべき笠木１，２の木口面に留め加工を施した上で、２本の笠木を釘および接着剤などを用いて手摺壁上に固定して直接接続することが行われている。
【０００３】
また、下記特許文献１には、階段等手摺笠木・胴縁接合端用屈曲ジョイントクリッパーが記載されており、水平部分の笠木と会談部分の笠木との間にこのジョイントクリッパーを介挿させて笠木を接続している。
【０００４】
【特許文献１】
実用新案登録第２５４４９４２号公報
【０００５】
【発明が解決しようとする課題】
しかしながら、図８に示すような従来技術によると、笠木を階段壁上に施工する際や施工後において笠木の木口面がずれてしまい、笠木間に段差（目違い）や隙間（目隙）が発生して美観を損ねることがあった。また、笠木の出隅側に廊下３が位置する場合、廊下を通行する歩行者が誤って笠木角部の尖った先端４に接触して負傷することがあった。
【０００６】
また、上記特許文献１においては、略水平に所定の角度をもって異なる方向に２本の笠木を接続することは全く考慮されておらず、笠木の出隅側を通行する歩行者に対する安全性についても何ら配慮がなされていない。
【０００７】
【課題を解決するための手段】
上記課題を解決するため、本発明は、簡単な作業で笠木同士の接続を行うことができるとともに、笠木の出隅側を通行する歩行者が誤って笠木角部の尖った先端に接触して負傷することがないよう安全性にも配慮がなされた新規な構成の笠木接続部材を提供することを目的とする。
【０００８】
この目的を達成するため、請求項１にかかる本発明は、略水平に所定の角度をもって異なる方向に施工される２本の笠木を接続するために用いられる笠木接続部材であって、頂面部と、頂面部の出隅側端部から垂下形成された平面視曲面状の出隅部と、頂面部の入隅側端部から垂下形成された入隅部と、頂面部の幅方向略中央において垂下形成され出隅部から入隅部まで実質的に延長している隔壁部と、隔壁部の両側に形成された一対の笠木嵌入部とを有し、各笠木嵌入部は、留め加工により傾斜した笠木木口面の出隅側角部を収容するべく該笠木木口面の傾斜角度に応じた傾斜角度を有して出隅部の内側に形成された出隅側角部収容部と、笠木の傾斜木口面の入隅側角部を収容するべく該笠木木口面の傾斜角度に応じた傾斜角度を有して入隅部の内側に形成された入隅側角部収容部とを有することを特徴としている。
【０００９】
請求項２にかかる本発明は、略水平に所定の角度をもって異なる方向に施工される２本の笠木を接続するために用いられる笠木接続部材であって、平面視において出隅側に向けて斜行している笠木嵌入部が異なる２方向から形成され、各笠木嵌入部の出隅側および入隅側には、留め加工による笠木木口面の傾斜角度に応じた傾斜角度を有する傾斜面が設けられ、且つ、出隅側端部には平面視曲面状の出隅部が設けられることを特徴としている。
【００１０】
【発明の実施の形態】
以下、添付の図１〜図３を参照して本発明の一実施形態による笠木接続部材について説明する。
【００１１】
この笠木接続部材１０は、略水平に所定の角度（この実施形態では約９０度）をもって異なる方向に施工される２本の笠木ａ，ｂを接続するために用いられるものであって、略水平に設けられる頂面部１１と、頂面部１１の出隅側端部から垂下形成された平面視円弧曲面状の出隅部１２と、頂面部１１の入隅側端部から垂下形成された入隅部１３と、頂面部１１の幅方向略中央において垂下形成され出隅部１２から入隅部１３まで実質的に延長している隔壁部１４と、隔壁部１４の両側に形成された一対の笠木嵌入部１５，１６とを有して構成されている。
【００１２】
一方の笠木嵌入部１５は、笠木ａ，ｂの留め加工がなされて傾斜面とされている笠木ａ，ｂの木口面ａ１，ｂ１の出隅側角部を収容するべく笠木木口面の傾斜角度（この実施形態では約４５度）に応じた傾斜角度を有して出隅部１２の内側に形成された出隅側角部収容部１５ａを有しており、したがって、この出隅側角部収容部１５ａは、隔壁部１４の笠木嵌入部１５側の側面１５ｂに対して約４５度傾斜する傾斜面１５ｃを有している。また、笠木嵌入部１５は、笠木の傾斜木口面ａ１，ｂ１の入隅側角部を収容するべく笠木木口面の傾斜角度（約１３５度）に応じた傾斜角度を有して入隅部１３の内側に形成された入隅側角部収容部とを有しており、したがって、この入隅側角部収容部１５ｄは、隔壁部１４の側面１５ｂに対して約１３５度傾斜する傾斜面１５ｅを有している。
【００１３】
他方の笠木嵌入部１６は、笠木接続部材１０の長手方向中心線について笠木嵌入部１５と対称的な構成および形状を有している。すなわち、隔壁部１４の笠木嵌入部１６側の側面１６ｂに対して約４５度傾斜する傾斜面１６ｃを備えた出隅側角部収容部１６ａを有するとともに、隔壁部側面１６ｂに対して約１３５度傾斜する傾斜面１６ｅを備えた入隅側角部収容部１６ｄを有している。
【００１４】
隔壁部１４の側面１５ｂ，１６ｂは、後述するように笠木木口面ａ１，ｂ１に対する突き合わせ面となるものであるから、これら側面１５ｂ，１６ｂの大きさおよび形状は笠木木口面ａ１，ｂ１の大きさおよび形状と略同一に設けられ、笠木木口面ａ１，ｂ１が突き付けられたときに両者の間に隙間ができないようにすることが好ましい。
【００１５】
頂面部１１は隔壁部１４から両側の笠木嵌入部１５，１６に被さるように張り出しており、内側に傾斜面１５ｃ，１６ｃを備えた出隅部１２および内側に傾斜面１５ｅ，１６ｅを備えた入隅部１３とともに笠木嵌入部１５，１６を三方から包囲するように設けられている。
【００１６】
笠木嵌入部１５，１６の溝深さ、言い換えれば隔壁部１４から両側に張り出して設けられる頂面部１１の各張り出し寸法は一般に２〜１５ｍｍ程度である。
【００１７】
出隅部１２は、笠木接続部材１０が笠木ａ，ｂ間に施工されたときに笠木ａ，ｂの出隅側に突出することとなるため、出隅側の廊下を通過する歩行者が誤って衝突したときなどにも負傷することがないように、平面視円弧状等の曲面形状を有するものとされている。
【００１８】
また、頂面部１１から出隅部１２，入隅部１３に至る角部や、出隅部１３から傾斜面１５ｃ，１６ｃに至る角部、入隅部１３から傾斜面１５ｅ，１６ｅに至る角部など、施工状態（図３）において使用者が接触し得る部分については、同様の理由から、曲面状の面取りを施しておくことが好ましい。
【００１９】
笠木接続部材１０は、木質材料、合成樹脂材料、金属材料などの任意材料から中実または中空に形成される。この実施形態による笠木接続部材１０は一体成形品であるが、複数の部材を組み合わせて構成してもよい。
【００２０】
笠木接続部材１０の表面は、笠木ａ，ｂの色調に合わせて構成されることが好ましく、たとえば合成樹脂材料により形成された笠木接続部材１０の場合には、その表面を笠木ａ，ｂの色調に合わせて着色を施すことができる。木材や集成材などの木質材料を用いて形成された場合はその木目を生かしてそのまま使用することも可能である。
【００２１】
また、笠木接続部材１０のうち少なくとも施工状態（図４）において表面に露出する部分には、塗料を塗装し、または突板、化粧紙、化粧合成樹脂シートなどの化粧材を貼着するなどによる化粧が施されていてもよい。隔壁部１４の下面も、その出隅側や入隅側の端部において階段壁よりも突出して露出されることがあるので、上記のような化粧をあらかじめ施しておくことが好ましい。
【００２２】
図４は、図１〜図３に示す笠木接続部材１０を用いて階段壁上において略水平に笠木ａ，ｂを接続した施工状態が示されている。笠木ａの木口ａ１が笠木嵌入部１５に、笠木ｂの木口ｂ１が笠木嵌入部１６に、それぞれ嵌入され、それらの三方が頂面部１１の張り出し縁、出隅部１２および入隅部１３に囲繞された形で施工されている。
【００２３】
前述のように、笠木嵌入部１５，１６の一部を構成する隔壁部１４の側面１５ｂ，１６ｂは笠木ａ，ｂの木口面ａ１，ｂ１と略同一形状および寸法に形成されており、且つ、それらの出隅側角部収容部１５ａ，１６ａおよび入隅部側角部収容部１５ｄ，１６ｄは笠木ａ，ｂの出隅側角部および入隅側角部の傾斜角度に応じた傾斜面１５ｃ，１６ｃ；１５ｅ，１６ｅを有しているので、笠木嵌入部１５，１６に各々笠木ａ，ｂの木口端部を挿入して木口面ａ１，ｂ１を側面１５ｂ，１６ｂに突き合わせるだけで、笠木ａ，ｂ同士の間に形成されるべき所定角度（この実施形態では９０度）が自動的に得られるので、笠木ａ，ｂの位置決めを確実に行いながら、簡単に施工作業を行うことができる。また、笠木木口面ａ１，ｂ１を隔壁部１４の側面１５ｂ，１６ｂに対して接着剤を用いて接着固定することにより、笠木ａ．ｂが笠木接続部材１０に強固に固定された施工状態が得られる。しかしながら、施工状態において笠木ａ，ｂの木口面ａ１，ｂ１が側面１５ｂ，１６ｂに全面的に当接していることは必須要件ではなく、部分的な当接であってもよく、あるいは当接せずにそれらの間に若干の隙間があいた状態で施工されてもよい。
【００２４】
また、階段壁の出隅側から突出する出隅部１２は円弧状曲面を呈するように形成されているので、出隅側に廊下が位置する場合であっても、この廊下を通行する歩行者が誤って出隅部１２に衝突しても怪我することがなく、安全性が確保される。
【００２５】
このようにして笠木接続部材１０を用いて施工される笠木ａ，ｂは、階段壁の内部からの釘打ちや接着剤その他一般に行われている方法で階段壁上に固定される。笠木接続部材１０自体も、階段壁の下地材から釘やフィニッシュネイル等の固定具を隔壁部１４に打ち込むことによって強固に固定することができる。これらの固定順序は任意であり、たとえば、いずれか一方の笠木を階段壁上に固定した後に、その木口部に対して笠木接続部材１０の一方の笠木嵌入部を嵌め込むようにして位置決めしつつ階段壁に固定し、次いで、固定された笠木接続部材１０の他方の笠木嵌入部に他方の笠木の木口部を嵌入して階段壁に固定することができる。あるいは、両方の笠木ａ，ｂを位置決めしつつ階段壁に固定した後に、それらの木口部に笠木接続部材１０の両方の笠木嵌入部１５，１６を嵌め込むようにして両側から（図４において右方および下方から）笠木接続部材１０を笠木ａ，ｂ間に挿入して階段壁に固定してもよい。
【００２６】
図５および図６は本発明のさらに別の実施形態による笠木化粧部材２０を示す。この実施形態による笠木化粧部材２０は、先述の笠木化粧部材１０と概ね同様に構成されているが、出隅部１２および入隅部１３の下端が隔壁部１４の下方において両端から内方に回り込むように延長して出隅側底面フランジ部２１および入隅側底面フランジ部２２を形成している点において相違している。他の構成については先述の笠木化粧部材１０と同様であるので、同一の構成要素には同一の符号を付して、それらの説明を省略する。
【００２７】
この実施形態によれば、笠木ａ，ｂの木口部が嵌入される笠木嵌入部１５，１６が、頂面部１１からの張り出し縁、出隅部１２の内側傾斜面１５ｃ、入隅部１３の内側傾斜面１５ｅとともに底面フランジ部２１，２２によって四方から取り囲まれて形成されることになり、それらの間に笠木ａ，ｂの木口部を嵌合する。また、隔壁部１４の両端には底面フランジ部２１，２２が形成されているため、それらの間には底面フランジ部２１，２２の厚み分に相当する凹部２３が形成されることになる。
【００２８】
この笠木化粧部材２０の施工に際しては、図７に示されるように、階段壁ｃの上面を底面フランジ部２１，２２間の凹部２３に嵌入した状態にして階段壁ａに固定するとともに、四方を、頂面部１１張り出し縁、出隅部１２の内側傾斜面１５ｃ、入隅部１３の内側傾斜面１５ｅおよび底面フランジ部２１，２２に取り囲まれた笠木嵌入部１５，１６に笠木ａ，ｂの木口部を嵌入した状態にして笠木ａ，ｂに固定する。笠木化粧部材２０がこのようにして階段壁ｃに施工されると、凹部２３は階段壁ｃの下地材ｄの上面に接して隠蔽され、それ以外の部分はすべて底面フランジ部２１，２２に取り囲まれることとなるため、階段の下方から見ても、笠木化粧部材２０と笠木ａ，ｂとの間の接合部が露出せず、外観の良好な施工状態となる。
【００２９】
本発明について図示実施形態を中心として説明したが、本発明はこれらに限定されるものではなく、特許請求の範囲に記載された発明の範囲内において種々の変形態様を取り得る。
【００３０】
たとえば、笠木接続部材における２つの突き合わせ面１５ｂ，１６ｂがなす角度は笠木ａ，ｂの接続角度に応じて変更されるものであり、既述の実施形態では笠木ａ，ｂが略水平面において９０度の角度で施工される場合に使用することを想定したものであることから、出隅側の傾斜面１５ｃ，１６ｃを突き合わせ面に対して４５度に設定するとともに入隅側の傾斜面１５ｅ，１６ｅを突き合わせ面に対して１３５度に設定したが、笠木ａ，ｂ同士がなす角度に応じてこれら傾斜面の傾斜角度を設定することによって様々な施工状態に対応することができる。。
【００３１】
なお、隔壁１４は、その対向する側面１５ｂ，１６ｂを笠木木口面ａ１，ｂ１に対する突き付け面として用いることにより笠木ａ，ｂの取付位置が自動的に決定されて施工が容易となり、また、これらを接着剤により接着することにより強固で安定した施工状態が得られる利点があるが、これを省略した形態も本発明の範囲内である。隔壁を省略した実施形態によるときは、上記のような利点を得ることはできないが、簡単な作業で笠木同士の接続を行いながら外観的にも良好な施工状態が得られ、しかも、笠木の出隅側を通行する歩行者に対する危険を排した利点は、同様に享受することができるものである。
【００３２】
【発明の効果】
以上に説明したように、本発明の笠木接続部材を用いて略水平に異なる方向に笠木同士を接続することにより、笠木の位置規制がなされ、笠木の木口部が笠木接続部材の両側の笠木嵌入部に嵌入されて隠蔽されることになるため、笠木の木口面同士の間での段差（目違い）や隙間（目隙）の発生による美観の低下を防止することができる。
【００３３】
本発明の笠木接続部材の両側に設けられる笠木嵌入部における出隅側および入隅側の角部収容部は、留め加工が施された笠木木口面の傾斜角度に対応した傾斜角度を有する傾斜面を備えているため、各笠木嵌入部に対して相対的に笠木の木口部を出隅側に斜行させるように嵌入させ、木口面を隔壁部の側面に突き付けることによって、笠木同士の間に形成されるべき所定角度が自動的に得られ、施工作業が簡単である。
【００３４】
本発明の笠木接続部材の出隅部は円弧状等の曲面で構成されているので、これを用いて笠木を接続して得られる階段においては、出隅側の廊下を通行する歩行者が誤って笠木接続部材に衝突するなどの事故が発生しても障害を負うことがなく、安全性に優れている。
【図面の簡単な説明】
【図１】本発明の一実施形態による笠木接続部材の斜視図である。
【図２】この笠木接続部材の平面図である。
【図３】この笠木接続部材を長手方向に直交する面で切断したときの断面図である。
【図４】この笠木接続部材を用いて階段壁上の略水平面において笠木同士を約９０度の角度に接続したときの施工状態平面図である。
【図５】本発明の他の実施形態による笠木接続部材を構成する本体の斜視図である。
【図６】図５の笠木接続部材の底面図である。
【図７】図５の笠木接続部材を用いた施工状態断面図である。
【図８】従来技術による施工状態平面図である。
【符号の説明】
ａ，ｂ  笠木
ｃ  階段壁
ｄ  下地材
１０  笠木接続部材
１１  頂面部
１２  出隅部
１３  入隅部
１４  隔壁部
１５，１６  笠木嵌入部
１５ａ，１６ａ  出隅側角部収容部
１５ｂ，１６ｂ  隔壁部側面（笠木木口面の突き付け面）
１５ｃ，１６ｃ  傾斜面
１５ｄ，１６ｄ  入隅側角部収容部
１５ｅ，１６ｅ  傾斜面
２０  笠木接続部材
２１  出隅側底面フランジ部
２２  入隅側底面フランジ部
２３  凹部
【図１】
2004300766.tif 000003
【図２】
2004300766.tif 000004
【図３】
2004300766.tif 000005
【図４】
2004300766.tif 000006
【図５】
2004300766.tif 000007
【図６】
2004300766.tif 000008
【図７】
2004300766.tif 000009
【図８】
2004300766.tif 000010